(57)【要約】【課題】置き台に載置された携帯電子機器からの鳴動音を減衰させることなく、周囲に響かせることのできる携帯電子機器の充電用置き台を提案する。【解決手段】筐体の外面に鳴動部８が配置された携帯電子機器１を外面と対向して載置する携帯電子機器の充電用置き台１０であって、外面と対向する筐体対向面１４のうち鳴動部８に対向する部位から外面よりも外側に向けて連通する部位に、筐体から離間する音抜け溝１３を形成した。【選択図】図２
2010130212.tif 000002
【特許請求の範囲】
【請求項１】
筐体の外面に鳴動部が配置された携帯電子機器を該外面と対向して載置する携帯電子機器の充電用置き台であって、
前記外面と対向する筐体対向面のうち、前記鳴動部に対向する部位から前記外面よりも外側に向けて連通する部位に、前記筐体から離間する音抜け溝を備えることを特徴とする携帯電子機器の充電用置き台。
【請求項２】
前記外面と対向する筐体対向面のうちの前記鳴動部に対向する部位に形成された第一孔と、置き台側面に形成された第二孔と、置き台内部に形成されると共に前記第一孔及び前記第二孔に連通する内部空間と、からなる音抜け孔部を備えることを特徴とする請求項１に記載の携帯電子機器の充電用置き台。
【請求項３】
前記外面と対向する筐体対向面のうちの前記鳴動部に対向する部位に形成された第一孔と、置き台側面に形成された第二孔と、置き台内部に形成された内部空間に配置されると共に前記第一孔及び前記第二孔に対して両端が連結された管部と、からなる音抜け管部を備えることを特徴とする請求項１に記載の携帯電子機器の充電用置き台。
【請求項４】
前記筐体対向面には、前記携帯電子機器に設けられた充電端子に接合する給電端子が配置されることを特徴とする請求項１から請求項３のうちいずれか一項に記載の携帯電子機器の充電用置き台。
【発明の詳細な説明】
【技術分野】
【０００１】
本発明は、携帯電子機器の充電用置き台に関する。
【背景技術】
【０００２】
携帯電話機やＰＨＳ等の移動通信機、ＰＤＡ（Personal Digital Assistant）或いはノート型パーソナルコンピュータのような携帯電子機器では、携帯電子機器を定期的に充電用置き台に載置して、内蔵されたバッテリを充電するものがある。この際、携帯電子機器に設けた充電端子と充電用置き台に設けた給電端子とを接触させることでバッテリの充電が行われる。
携帯電話機を充電する充電用置き台としては、例えば、携帯電話機を横置きにして載置するもの（特許文献１参照）や、縦置きにして載置する（特許文献２参照）がある。
【特許文献１】特開２００５−２８７１９８号公報
【特許文献２】特開２００５−３１８７３４号公報
【特許文献３】特開２００５−１８４０５０号公報
【発明の開示】
【発明が解決しようとする課題】
【０００３】
従来の技術では、携帯電話機のスピーカー音穴が背面に配置される場合が多く、充電用置き台に載せた状態ではスピーカー音穴が充電用置き台により塞がれて、着信音や音楽等の音圧が減衰してしまう。このため、充電用置き台にアンプを搭載したり、充電用置き台に載せたことを検出して、携帯電話機本体のアンプゲインを上げて、音圧を大きくしていた。
しかし、充電用置き台にアンプを搭載した場合、充電用置き台の形状が大型化するとともに、制御手段も複雑になってしまうという問題がある。
また、充電用置き台にスピーカーを設置することも考えられるが、装置が複雑化するとともに、製造コストが嵩むという問題がある。
【０００４】
本発明は、上述した事情に鑑みてなされたもので、装置を大型化あるいは複雑化することなく、置き台に載置された携帯電子機器からの鳴動音を減衰させることなく、周囲に響かせることのできる携帯電子機器の充電用置き台を提案することを目的とする。
また、携帯電子機器に設置されたスピーカー音の音質を向上することのできる携帯電子機器の充電用置き台を提案することを目的とする。
【課題を解決するための手段】
【０００５】
本発明に係る携帯電子機器の充電用置き台では、上記課題を解決するために以下の手段を採用した。
本発明は、筐体の外面に鳴動部が配置された携帯電子機器を該外面と対向して載置する携帯電子機器の充電用置き台であって、前記外面と対向する筐体対向面のうち、前記鳴動部に対向する部位から前記外面よりも外側に向けて連通する部位に、前記筐体から離間する音抜け溝を備えることを特徴とする。
【０００６】
また、前記外面と対向する筐体対向面のうちの前記鳴動部に対向する部位に形成された第一孔と、置き台側面に形成された第二孔と、置き台内部に形成されると共に前記第一孔及び前記第二孔に連通する内部空間と、からなる音抜け孔部を備えることを特徴とする。
【０００７】
また、前記外面と対向する筐体対向面のうちの前記鳴動部に対向する部位に形成された第一孔と、置き台側面に形成された第二孔と、置き台内部に形成された内部空間に配置されると共に前記第一孔及び前記第二孔に対して両端が連結された管部と、からなる音抜け管部を備えることを特徴とする。
【０００８】
また、前記筐体対向面には、前記携帯電子機器に設けられた充電端子に接合する給電端子が配置されることを特徴とする。
【発明の効果】
【０００９】
本発明によれば以下の効果を得ることができる。
携帯電子機器の外面と対向する携帯電子機器の充電用置き台の筐体対向面のうち、携帯電子機器の鳴動部に対向する部位から前記外面よりも外側に向けて連通する部位に、筐体から離間する音抜け溝等を備えるので、鳴動部の発する着信音あるいは音楽を減衰させることなく、周囲に響かせることができる。
【発明を実施するための最良の形態】
【００１０】
以下、本発明の携帯電子機器の充電用置き台の実施形態について図を参照して説明する。
図１は、本実施形態の携帯電話機用置き台に使用される携帯電話機の一概略構成を示す図である。
携帯電話機１は、筐体２の正面１ａ側に、各種情報を表示するＬＣＤ（Liquid Crystal Display）或いはＥＬ（Electro Luminescence）ディスプレイ等からなる表示部３が設けられる他、受話機能を確保するためのスピーカー部４が設けられている。また、複数のテンキー５、モード切替えボタン６、電源ボタン等からなる操作釦が設けられると共に、送話機能を確保するためのマイクロフォン部７が設けられている。
【００１１】
筐体２の内部には、キースイッチ、シールドケース、回路基板及びバッテリ等（いずれも不図示）が重ねて配されている。
また、筐体２の背面（外面）１ｂ側には、着信音あるいは充電操作中に音楽等を流すための鳴動部である背面スピーカー８及び充電端子９が配設されている。充電端子９は、後述する携帯電話機用置き台１０に設けられた給電端子１２と当接するようになっている。
【００１２】
図２は、本発明の第１実施形態に係る携帯電話機用置き台１０を示す図であって、（ａ）は側面図、（ｂ）は平面図である。
携帯電話機用置き台１０は、携帯電話機１を載置して内蔵バッテリの充電を行う装置であって、携帯電話機１の背面１ｂ側を収容し載置する置き台本体１１と、携帯電話機１の充電端子９に接合する給電端子１２と、を備えている。
【００１３】
置き台本体１１は、上面視略矩形に形成された部材であって、その上面に、携帯電話機１の背面１ｂを収容して戴置可能な載置面（筐体対向面）１４が形成されている。
また、載置面１４の一端側には、携帯電話機１の背面に露出して配置された充電端子９に当接する給電端子１２が設けられている。
【００１４】
また、置き台本体１１のうち携帯電話機１の背面スピーカー８に対向する部位（載置面１４）には、置き台本体１１を幅方向に貫く音抜け溝１３が形成されている。音抜け溝１３は、携帯電話機の筐体２から離間しており、背面スピーカー８である鳴動部に対向する部位から携帯電話機１の背面１ｂよりも外側に向けて連通している。
【００１５】
以上のように構成された携帯電話機用置き台１０では、携帯電話機１を載置面１４に載置すると、携帯電話機１の背面スピーカー８が音抜け溝１３に対向配置されているので、スピーカーからの音が音抜け溝１３に沿って両側に抜けて、充電中であってもスピーカー音圧の減衰量を少なくすることができる。
したがって、充電を検出してスピーカーアンプのゲインを上げる等の機構を必要とすることなく、着信音の音圧レベルを例えば８０ｄＢ以上に維持することが可能となる。
また、携帯電話機１を携帯電話機用置き台１０に載置した状態で、テンキー５及びモード切替えボタン６を操作して、表示部３に各種情報を表示させたり、音楽を聴く等の操作を行うことが可能となっている。
更に、携帯電話機１は携帯電話機用置き台１０にしっかりと保持されるので、給電端子１２と充電端子９との接触が良好に保たれ、バッテリの充電が確実に行われる。
【００１６】
このように、本発明の携帯電話機用置き台１０では、鳴動部である背面スピーカー８に対向する部位から外部に連通する音抜け溝１３を設けたので、増幅機構や充電検出機構を設けることなく、携帯電話機１の充電時における着信音圧を確保することができる。更に、充電時においても、音楽を楽しんだり、映像を楽しむことができる。
【００１７】
図３は、本発明の携帯電話機用置き台の第２実施形態を示す図であって、（ａ）は側面図、（ｂ）は平面図、（ｃ）はＡ−Ａ線断面図である。
携帯電話機用置き台３０は、携帯電話機１をその背面１ｂと対向して載置して内蔵バッテリの充電を行う装置であって、携帯電話機１の背面１ｂ側を収容し載置する置き台本体３５を備えている。
置き台本体３５は、上面視略矩形に形成された部材であって、その上面に、携帯電話機１の背面１ｂを収容して戴置可能な載置面（筐体対向面）３７が形成されている。
【００１８】
また、載置面３７のうち携帯電話機１の背面スピーカー８に対向する部位には、置き台本体３５を幅方向に貫く音抜け溝１３が形成されている。
更に、置き台本体３５には、音抜け溝１３のうちの背面スピーカー８に対向する部位に形成された第一孔３１と、置き台側面に形成された第二孔３２と、置き台内部に形成されると共に前記第一孔３１及び前記第二孔３２に連通する内部空間３３とからなる音抜け孔部３４が形成されている。
また、置き台本体３５の載置面３７の一端側には、携帯電話機１の背面に露出して配置された充電端子９に当接する給電端子３６が設けられている。
【００１９】
第一孔３１は、携帯電話機用置き台３０の筐体対向面９９に形成されており、携帯電話機１を携帯電話機用置き台に収納した際に、背面スピーカー８と一致する位置に形成される。第二孔３２は、置き台本体３５の一側面又は両側面に形成されている。
そして、携帯電話機用置き台３０に形成された第一孔３１と第二孔３２とは、内部空間３３を介して連通している。
【００２０】
以上のように構成された携帯電話機用置き台３０では、携帯電話機１を載置すると、携帯電話機１の背面スピーカー８が第一孔３１に対向配置されているので、スピーカーからの音が内部空間３３を介して第二孔３２から外部に抜けて、充電中であってもスピーカー音圧の減衰量を少なくすることができる。特に、内部空間３３の容積や、第二孔３２の開口面積等を適宜選択することにより、バッフル効果により背面スピーカー８からの音楽等の音質を向上させて周囲に響かせることができる。
したがって、充電を検出してスピーカーアンプのゲインを上げる等の機構を必要とすることなく、着信音の音圧レベルを例えば８０ｄＢ以上に維持することが可能となる。
また、携帯電話機１を携帯電話機用置き台３０に載置した状態で、テンキー５及びモード切替えボタン６を操作して、表示部３に各種情報を表示させたり、音楽を聴く等の操作を行うことが可能となっている。
更に、携帯電話機１は携帯電話機用置き台３０にしっかりと保持されるので、給電端子１２と充電端子９との接触が良好に保たれ、バッテリの充電が確実に行われる。
【００２１】
図４は、本発明の携帯電話機用置き台の第３実施形態を示す図であって、（ａ）は側面図、（ｂ）は平面図、（ｃ）はＢ−Ｂ線断面図である。
携帯電話機用置き台４０は、携帯電話機１をその背面１ｂと対向して載置して内蔵バッテリの充電を行う装置であって、携帯電話機１の背面１ｂ側を収容し載置する置き台本体４５を備えている。
置き台本体４５は、上面視略矩形に形成された部材であって、その上面に、携帯電話機１の背面１ｂを収容して戴置可能な載置面（筐体対向面）４７が形成されている。
【００２２】
また、載置面４７のうち携帯電話機１の背面スピーカー８に対向する部位には、置き台本体３５を幅方向に貫く音抜け溝１３が形成されている。
更に、置き台本体４５には、音抜け溝１３のうちの背面スピーカー８に対向する部位に形成された第一孔４１と、置き台側面に形成された第二孔４２と、置き台内部に形成された内部空間に配置されると共に第一孔４１及び第二孔４２に対して両端が連結された管部４３と、からなる音抜け管部４４を備えている。
また、置き台本体４５の載置面４７の一端側には、携帯電話機１の背面に露出して配置された充電端子９に当接する給電端子４６が設けられている。
【００２３】
第一孔４１は、携帯電話機用置き台４０の筐体対向面９８に形成されており、携帯電話機１を携帯電話機用置き台に収納した際に、背面スピーカー８と一致する位置に在る。また、第一孔４１と第二孔４２は、管部４３で直接連通している。
【００２４】
以上のように構成された携帯電話機用置き台４０では、携帯電話機１を載置すると、携帯電話機１の背面スピーカー８が第一孔４１に対向配置されているので、スピーカーからの音が管部４３を介して第二孔４２から外部に抜けて、充電中であってもスピーカー音圧の減衰量を少なくすることができる。特に、管部４３の長さや形状、第二孔４２の開口面積等を適宜選択することにより、バッフル効果により背面スピーカー８からの音楽等の音質を向上させて周囲に響かせることができる。
したがって、充電を検出してスピーカーアンプのゲインを上げる等の機構を必要とすることなく、着信音の音圧レベルを例えば８０ｄＢ以上に維持することが可能となる。
また、携帯電話機１を携帯電話機用置き台４０に載置した状態で、テンキー５及びモード切替えボタン６を操作して、表示部３に各種情報を表示させたり、音楽を聴く等の操作を行うことが可能となっている。
更に、携帯電話機１は携帯電話機用置き台４０にしっかりと保持されるので、給電端子１２と充電端子９との接触が良好に保たれ、バッテリの充電が確実に行われる。
【００２５】
上述した実施形態において示した各構成部材の諸形状や組み合わせ等は一例であって、本発明の主旨から逸脱しない範囲において設計要求等に基づき種々変更可能である。
【００２６】
例えば、上述した実施形態では、携帯電話機について説明したが、これに限らない。
本発明は、ＰＤＡ（Personal Digital Assistants）、デジタルカメラ、デジタルビデオカメラ、ノート型パーソナルコンピュータ等の携行可能な携帯電子機器に対して適用することができる。
【００２７】
携帯電子機器の充電用置き台としては、携帯電子機器が内蔵するバッテリの充電を行う充電用置き台に限らない。携帯電話機、ＰＤＡ、デジタルカメラ、デジタルビデオカメラ及びノート型パーソナルコンピュータを載置することで、これらと電気的に接続して各種データを同期させたりするクレードル装置であってもよい。
【図面の簡単な説明】
【００２８】
【図１】本実施形態の携帯電話機用置き台に使用される携帯電話機の一概略構成を示す図である。
【図２】本発明の第１実施形態に係る携帯電話機用置き台１０を示す図であって、（ａ）は側面図、（ｂ）は平面図である。
【図３】本発明の携帯電話機用置き台の第２実施形態を示す図であって、（ａ）は側面図、（ｂ）は平面図、（ｃ）はＡ−Ａ線断面図である。
【図４】本発明の携帯電話機用置き台の第３実施形態を示す図であって、（ａ）は側面図、（ｂ）は平面図、（ｃ）はＢ−Ｂ線断面図である。
【符号の説明】
【００２９】
１…携帯電話機（携帯電子機器）、  １ｂ…背面（外面）、  ２…筐体、  ８…背面スピーカー（鳴動部）、  ９…充電端子、  １０…携帯電話機用置き台（携帯電子機器の充電用置き台）、  １１…置き台本体、  １２…給電端子、  １３…音抜け溝、  １４…載置面（筐体対向面）、  ３０…携帯電話機の充電用置き台（携帯電子機器の充電用置き台）、  ３１…第一孔、  ３２…第二孔、  ３３…内部空間、  ３４…音抜け孔部、  ３５…置き台本体、  ３６…給電端子、  ３７…載置面（筐体対向面）、  ４０…携帯電話機の充電用置き台（携帯電子機器の充電用置き台）、  ４１…第一孔、  ４２…第二孔、  ４３…管部、  ４４…音抜け管部、  ４５…置き台本体、  ４６…給電端子、  ４７…載置面（筐体対向面）
【図１】
2010130212.tif 000003
【図２】
2010130212.tif 000004
【図３】
2010130212.tif 000005
【図４】
2010130212.tif 000006